(57)【要約】【課題】文書情報を漏れなく保存することを可能にする技術を提供すること。【解決手段】画像診断に関する情報を所定の種類ごとに分類した複数の部分情報と、複数の部分情報の間の関係を示す関係情報と、を含む構造化文書情報を処理する医用情報処理装置は、表示されている構造化文書情報からコピー対象の部分情報および関係情報を選択する選択部と、選択された部分情報および関係情報に基づいて、コピー用の情報における部分情報の配置を決定する決定部と、決定された配置に基づいて選択された部分情報および関係情報を変換したデータを作成する作成手段と、を備える。【選択図】  図１０
2018055278.tif 000002
【特許請求の範囲】
【請求項１】
画像診断に関する情報を所定の種類ごとに分類した複数の部分情報と、前記複数の部分情報の間の関係を示す関係情報と、を含む構造化文書情報を処理する医用情報処理装置であって、
表示されている前記構造化文書情報からコピー対象の部分情報および関係情報を選択する選択手段と、
前記選択された部分情報および関係情報に基づいて、コピー用の情報における前記部分情報の配置を決定する決定手段と、
前記決定された配置に基づいて前記選択された部分情報および関係情報を変換したデータを作成する作成手段と、
を備えることを特徴とする医用情報処理装置。
【請求項２】
前記決定手段は、前記コピー用の情報を貼付する貼付先で処理可能なデータの形式を判定し、
前記決定手段は、前記判定の結果に基づいて、前記貼付先でテキストデータの取り扱いが可能である場合、前記選択された部分情報および関係情報からテキストデータを生成するためのテンプレートを作成することを特徴とする請求項１に記載の医用情報処理装置。
【請求項３】
前記部分情報を特定するための識別情報と、前記部分情報の種類および内容を示す情報と、前記部分情報の間の関係を示す関係情報と、を保持する記憶手段を更に備え、
前記決定手段は、
前記選択された部分情報および前記関係情報を、前記記憶手段から取得して前記テンプレートを作成することを特徴とする請求項２に記載の医用情報処理装置。
【請求項４】
前記決定手段は、前記記憶手段から取得した前記部分情報および前記関係情報に基づいて、前記テンプレートにおける前記部分情報の配置を決定することを特徴とする請求項３に記載の医用情報処理装置。
【請求項５】
前記決定手段は、前記部分情報の表示状態に基づいて、前記テンプレートにおける前記部分情報の表示形式を選択することを特徴とする請求項３または４に記載の医用情報処理装置。
【請求項６】
前記決定手段は、前記表示形式として、前記部分情報の自然文表示、または、前記画像診断に関する属性情報と前記属性情報に対応した値を示す情報とを対応付けた表示、のいずれか一方の表示形式を選択することを特徴とする請求項５に記載の医用情報処理装置。
【請求項７】
前記選択された部分情報および関係情報において、予め定めた部分情報間の関係を示す関係情報が含まれている場合、
前記決定手段は、前記関係情報をテキストデータとして説明するための補足データを作成するための情報を前記テンプレートに設定することを特徴とする請求項２乃至６のいずれか１項に記載の医用情報処理装置。
【請求項８】
前記作成手段は、前記テンプレートを用いて、前記選択された部分情報を前記テキストデータに変換したデータを作成することを特徴とする請求項７に記載の医用情報処理装置。
【請求項９】
前記作成手段は、前記テンプレートを用いて作成した前記補足データを、前記テキストデータに付加することを特徴とする請求項７または８に記載の医用情報処理装置。
【請求項１０】
前記予め定めた関係情報には、複数の部分情報の間における時系列関係を示す情報と、一つの部分情報から複数の部分情報に対して設定されている因果関係を示す情報と、複数の部分情報の間に設定されている対立関係を示す情報と、が含まれることを特徴とする請求項７乃至９のいずれか１項に記載の医用情報処理装置。
【請求項１１】
前記判定の結果に基づいて、前記貼付先で構造化データの取り扱いが可能である場合、前記作成手段は、前記選択された部分情報および関係情報を前記貼付先で処理可能な構造化データに変換したデータを作成することを特徴とする請求項２に記載の医用情報処理装置。
【請求項１２】
前記判定の結果に基づいて、前記貼付先で画像データの取り扱いが可能である場合、前記作成手段は、前記選択された部分情報および関係情報を前記貼付先で処理可能な画像データに変換したデータを作成することを特徴とする請求項２に記載の医用情報処理装置。  
【請求項１３】
画像診断に関する情報を所定の種類ごとに分類した複数の部分情報と、前記複数の部分情報の間の関係を示す関係情報と、を含む構造化文書情報を処理する医用情報処理装置であって、
表示されている前記構造化文書情報からコピー対象の部分情報を選択する選択手段と、
前記選択された部分情報の表示状態に基づいて、コピー用の情報における前記部分情報の表示形式を決定する決定手段と、
前記決定された表示形式に基づいて、前記選択された部分情報を変換したデータを作成する作成手段と、
を備えることを特徴とする医用情報処理装置。
【請求項１４】
画像診断に関する情報を所定の種類ごとに分類した複数の部分情報と、前記複数の部分情報の間の関係を示す関係情報と、を含む構造化文書情報を処理する医用情報処理装置であって、
表示されている前記構造化文書情報からコピー対象の部分情報および関係情報を選択する選択手段と、
前記選択された部分情報と関係情報とに基づいて、コピー用の情報における前記部分情報の配置、および、前記選択された部分情報の表示状態に基づいて、コピー用の情報における前記部分情報の表示形式、のうち少なくともいずれか一方を決定する決定手段と、
前記決定に基づいて、前記選択された部分情報および関係情報を変換したデータを作成する作成手段と、
を備えることを特徴とする医用情報処理装置。
【請求項１５】
画像診断に関する情報を所定の種類ごとに分類した複数の部分情報と、前記複数の部分情報の間の関係を示す関係情報と、を含む構造化文書情報を処理する医用情報処理装置であって、
表示されている前記構造化文書情報からコピー対象の部分情報および関係情報を選択する選択手段と、
前記選択された部分情報および関係情報を貼付する貼付先で処理可能なデータの形式を判定する判定手段と、
前記判定の結果に基づいて、前記選択された部分情報および関係情報を変換したデータを作成する作成手段と、
を備えることを特徴とする医用情報処理装置。
【請求項１６】
請求項１乃至１５のいずれか１項に記載の医用情報処理装置を備えることを特徴とする医用情報処理システム。
【請求項１７】
画像診断に関する情報を所定の種類ごとに分類した複数の部分情報と、前記複数の部分情報の間の関係を示す関係情報と、を含む構造化文書情報を処理する医用情報処理装置における医用情報処理方法であって、
選択手段が、表示されている前記構造化文書情報からコピー対象の部分情報および関係情報を選択する選択工程と、
決定手段が、前記選択された部分情報および関係情報に基づいて、コピー用の情報における前記部分情報の配置を決定する決定工程と、
作成手段が、前記決定された配置に基づいて前記選択された部分情報および関係情報を変換したデータを作成する作成工程と、
を有することを特徴とする医用情報処理方法。
【請求項１８】
コンピュータに、請求項１７に記載の医用情報処理方法の各工程を実行させるためのプログラム。
【発明の詳細な説明】
【技術分野】
【０００１】
本発明は、医用情報処理装置、医用情報処理システム、医用情報処理方法およびプログラムに関する。
【背景技術】
【０００２】
近年の医用画像を撮像する撮像装置の性能向上により、検査で得られる画像データの情報量が増大し、画像診断の専門知識を有する読影医の必要性が増している。読影医による画像診断の結果は、電子的なレポート（読影レポート）としてまとめられ、検査を依頼した依頼医に提供される。依頼医の診療の記録は、被検者毎のカルテに保存され、読影医による画像診断の結果は、カルテ上において所見のひとつとして扱われる。依頼医は、診断の際に参照するため、読影レポートの内容をカルテに転記する。
【０００３】
現在では電子カルテが普及しており、電子カルテ上で読影レポートから電子カルテへの転記を行うための技術が提案されている。例えば、特許文献１には、医師が複数の領域のそれぞれで選択した範囲をまとめてコピーする技術が開示されている。
【先行技術文献】
【特許文献】
【０００４】
【特許文献１】特開２００３−２２３５０９号公報
【発明の概要】
【発明が解決しようとする課題】
【０００５】
しかしながら、特許文献１の構成では、複数の領域のそれぞれの記載内容の関係性を示す情報がコピーできない。このため、選択された内容を単純に並べてペーストするだけでは、オリジナルの読影レポートにおいて示されていた複数の領域のそれぞれの記載内容の関係性が失われることなる。
【０００６】
本発明は、上記の課題を鑑み、文書情報を漏れなく保存することを可能にする技術の提供を目的とする。
【課題を解決するための手段】
【０００７】
本発明の一態様による医用情報処理装置は、画像診断に関する情報を所定の種類ごとに分類した複数の部分情報と、前記複数の部分情報の間の関係を示す関係情報と、を含む構造化文書情報を処理する医用情報処理装置であって、
表示されている前記構造化文書情報からコピー対象の部分情報および関係情報を選択する選択手段と、
前記選択された部分情報および関係情報に基づいて、コピー用の情報における前記部分情報の配置を決定する決定手段と、
前記決定された配置に基づいて前記選択された部分情報および関係情報を変換したデータを作成する作成手段と、を備えることを特徴とする。
【０００８】
本発明の他の態様による医用情報処理方法は、画像診断に関する情報を所定の種類ごとに分類した複数の部分情報と、前記複数の部分情報の間の関係を示す関係情報と、を含む構造化文書情報を処理する医用情報処理装置における医用情報処理方法であって、
選択手段が、表示されている前記構造化文書情報からコピー対象の部分情報および関係情報を選択する選択工程と、
決定手段が、前記選択された部分情報および関係情報に基づいて、コピー用の情報における前記部分情報の配置を決定する決定工程と、
作成手段が、前記決定された配置に基づいて前記選択された部分情報および関係情報を変換したデータを作成する作成工程と、を有することを特徴とする。
【発明の効果】
【０００９】
本発明によれば、文書情報を漏れなく保存することが可能になる。
【図面の簡単な説明】
【００１０】
【図１】実施形態に係る医用情報処理装置の構成を示す図。
【図２】実施形態に係る医用情報処理システムの構成を示す図。
【図３】医用情報処理装置で表示される読影レポートの概念を例示する図。
【図４】部分情報と関係情報の格納例を示す図。
【図５】医用情報処理装置の機能構成を示す図。
【図６】エントリ内容の表示例を示す図。
【図７】エントリの表示形式を例示する図。
【図８】医用情報処理装置のＧＵＩを例示する図。
【図９】テキスト作成用テンプレートを例示する図。
【図１０】コピーデータ作成処理の流れを示すフローチャート。
【図１１】テキスト作成テンプレート及び生成されるテキストの例を示す図。
【図１２】テキスト作成テンプレート及び生成されるテキストの例を示す図。
【発明を実施するための形態】
【００１１】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。
【００１２】
本実施形態に係る医用情報処理装置１０は、医用文書情報（例えば、読影レポートなど）の内容を理解しやすくするために、医用文書情報を構造化文書情報として表示する。すなわち、医用情報処理装置１０は、画像診断に関する情報を所定の種類ごとに分類した複数の部分情報（以下、エントリともいう）と、複数の部分情報の間の関係を示すリンク（以下、関係情報ともいう）と、を含む構造化文書情報として表示する。これにより、画像診断の論理的な流れを一目で把握することを可能にする。
【００１３】
また、本実施形態に係る医用情報処理装置１０は、読影レポートの内容を部分的に選択して電子カルテに保存する場合、コピー対象として選択された部分情報（エントリ）の表示状態に基づいて、コピー用データにおけるエントリの配置や表示形式、エントリ間の関係性を保持するようなデータ（リンクをテキストデータとして説明するための補足データ）を作成する。これにより、読影レポートの情報を漏れなく保存することを可能にする。
【００１４】
（医用情報処理装置の構成例）
図１は、本発明の実施形態に係る医用情報処理装置１０の構成例を示すブロック図である。制御部１１は、例えば、ＣＰＵ（Central  Processing  Unit）などにより構成され、医用情報処理装置１０における医用文書（例えば、読影レポート）の処理を統括制御することが可能である。
【００１５】
一次記憶部１２は、例えば、ＲＡＭ等の記憶媒体により構成することが可能であり、各種情報および各種プログラムを一時的に記憶する。一次記憶部１２は、二次記憶部１３に記憶されたプログラムなどを読み込んで一時的に記憶することが可能である。二次記憶部１３は、例えば、ハードディスクやフラッシュメモリなどの記憶媒体により構成することが可能であり、各種プログラムや各種情報を記憶する。二次記憶部１３は、一次記憶部１２に記憶しきれないプログラムやデータなどを記憶することが可能である。また、長時間記憶しなくてはならないデータなども二次記憶部１３に記憶される。
【００１６】
入力デバイス１４（操作部）は、例えば、マウスなどのポインティングデバイスやタッチパネルやキーボードなどにより構成され、ユーザ（例えば、医師）からの指示を装置に入力する。
【００１７】
出力デバイス１５は、例えば、ＬＣＤなどのモニタやプリンタなどにより構成され、各種情報をユーザに出力する。尚、出力デバイス１５として、例えば、任意の台数のモニタを組み合わせて使用することもできる。
【００１８】
システムバス１６は、データの流れを司る。制御部１１、一次記憶部１２、二次記憶部１３、入力デバイス１４および出力デバイス１５は、それぞれシステムバス１６に接続し、システムバス１６を介して、相互にデータの送信および受信が可能である。
【００１９】
（医用情報処理システムの構成例）
図２は、本実施形態に係る医用情報処理装置１０を含む医用情報処理システムの構成例を示すブロック図である。図２において、ネットワーク６０には後述するＨＩＳ２０（病院情報システム(Hospital Information Systems)）、ＲＩＳ３０（放射線科情報システム(Radiology Information Systems)）、医用画像撮影装置４０、ＰＡＣＳ５０（画像保存通信システム(Picture Archiving and Communication Systems)）、および医用情報処理装置１０が接続されており、ネットワーク６０を介して、相互に情報通信が可能に構成されている。
【００２０】
ＨＩＳ２０は、医用事務会計システム、診療予約システム、診療情報システム等を含む包括的なシステムであり、電子カルテデータベース１や読影レポートデータベース２と通信してデータを取得することが可能である。電子カルテデータベース１には、被検者の診療情報を記録した電子カルテが保存される。読影レポートデータベース２には、読影医が作成した読影レポートが保存されている。
【００２１】
ＲＩＳ３０は、放射線科部門における、撮影予約、読影管理、材料在庫管理等を行うためのシステムである。読影レポートデータベース２が、ＲＩＳ３０によって管理される場合もある。医用画像撮影装置４０は、例えば、放射線撮影装置（またはレントゲン装置）、ＣＴ装置、ＭＲＩ装置、ＰＥＴ装置、ＰＥＴ／ＣＴ装置、ＳＰＥＣＴ装置、超音波画像診断装置、眼底カメラ（または眼底写真撮影装置）、ＯＣＴ装置等を含む。ＰＡＣＳ５０は、医用画像撮影装置４０によって撮影された医用画像を電子的に保存、検索、通信するためのシステムであり、医用情報処理装置１０は、ＰＡＣＳ５０を介して医用画像データベース３と通信して画像を取得することが可能である。
【００２２】
医用情報処理装置１０は、読影医が読影対象の画像を閲覧し、読影レポートを作成する際に必要な各種機能を備えている。医用情報処理装置１０が備える機能構成については、図５を用いて後述する。
【００２３】
（読影レポートの構成）
図３は、本実施形態に係る医用情報処理装置１０で表示される読影レポートの概念を例示する図である。医用情報処理装置１０は、画像診断に関する情報を所定の種類ごとに分類した複数の部分情報（エントリ）と、複数の部分情報の間の関係を示す関係情報（リンク）と、を含む構造化文書情報を処理する。図３に示すように、医用情報処理装置で表示される構造化文書情報は、複数の部分情報（エントリ）とエントリ間の関係を表す関係情報（リンク）とを有する。
【００２４】
部分情報（エントリ）は、その内容に応じて、例えば、部位、所見、診断、処置の４種類の項目に分類される。部位を示す部分情報（部位エントリ）には、被検者の体の部位を特定することのできる文章や画像情報が入力される。部位エントリへ入力される画像情報には、例えば、出力デバイス１５のモニタ上に表示する読影対象の画像のソフトコピーや、医用画像データベース３に保存されている読影対象の画像へアクセスするためのアドレス情報が含まれる。このとき、画像を閲覧する際に適用する画像処理のパラメータ等が合わせて部位エントリに入力されても良い。
【００２５】
所見エントリには、一つ以上の病変を説明する文章が入力される。診断エントリには、一つ以上の疾病を説明する文章が入力される。処置エントリには、一つ以上の処置を説明する文章が入力される。
【００２６】
関係情報（リンク）は、エントリ間の関係性に応じて、対応関係、因果関係、対立関係、時系列関係の４種類に分類される。対応関係は、２つのエントリが相互に関係していることを示す。因果関係は、２つのエントリの一方が原因で他方が結果である関係を示す。対立関係は、２つのエントリが背反する関係を示す。時系列関係は、２つのエントリが、同一の対象について異なる時期に観察した内容であることを示す。
【００２７】
尚、図３に示す関係情報（リンク）において、対応関係は線（実線）で表し、因果関係は片矢印で表すものとする。例えば、片矢印の始点側のエントリは原因を示し、片矢印の終点側のエントリは結果を示すものとする。また、対立関係は両矢印で表し、時系列関係は破線で表すものとする。エントリ間における時系列の関係を明確にするために、例えば、二つのエントリのうち、より時間情報の古い過去の所見を示すエントリ（過去所見）については、エントリの表示形式を変更すること（例えば、部分情報を囲むエントリ枠の表示色を変更したり、エントリ枠のサイズ変更等）により、識別可能に表示制御することが可能である。
【００２８】
一つのエントリは、他の複数のエントリと関係を持つことができる。すなわち、エントリ間の関係は複数の関係情報（リンク）を介して多対多の関係となり得る。本実施形態において、図３に示す形式の種々の読影レポートの情報は、各エントリの内容を示すエントリ情報を保持するテーブルと、エントリ間の相互の関係を示す関係情報（リンク）を保持するテーブルとに保持されて、読影レポートデータベース２に予め保存されているものとする。
【００２９】
図４はエントリ情報と関係情報（リンク）の格納例を示す図である。ここで、図４（ａ）に示すエントリテーブル１０１は、各エントリの内容を示すエントリ情報を保持するテーブルであり、図４（ｂ）に示すリンクテーブル１０２は、エントリ間の相互の関係を示す関係情報を保持するテーブルである。処理の対象となる読影レポートに関して、エントリ情報および関係情報が読影レポートデータベース２から読み出され、記憶部１２０に保持される。処理の対象となる読影レポートに関して、記憶部１２０は、構造化文書情報（読影レポート等）を構成する部分情報を特定するための識別情報と、部分情報の種類および内容を示す情報と、部分情報の間の関係を示す関係情報（リンク）と、を保持する。
【００３０】
図４（ａ）に示すエントリテーブル１０１には、読影レポートにおけるエントリの識別情報（ＩＤ）と、部分情報（エントリ）の種類および内容、内容の確信度、部分情報（エントリ）に対応する依頼項目（依頼タグ）が保存されている。部位の種類を示すエントリ（部位エントリ）には、被検者の体の部位を特定することのできる文章や画像情報が入力可能である。図４（ａ）の例では、読影対象の画像のソフトコピーが入力されている。この他、医用画像データベース３に保存されている読影対象の画像へアクセスするためのアドレス情報が画像情報として入力可能である。
【００３１】
部分情報（エントリ）の識別情報（ＩＤ）は、読影レポートにアクセスするための読影レポートの識別情報と組み合わされ、読影レポートにおいて、それぞれのエントリを特定することができるように生成される。また、エントリの識別情報（ＩＤ）からエントリが含まれる読影レポートの識別情報を取得することができる。例えば、エントリの識別情報（ＩＤ）である「１２３４５６７８−００１」のうち、「１２３４５６７８」は、読影レポートにアクセスするための読影レポートの識別情報である。読影レポートの識別情報により、対象とする読影レポートを特定することができる。エントリの識別情報（ＩＤ）のうち「００１」は、読影レポートの識別情報により特定された読影レポートにおけるエントリの表示位置を特定する情報である。
【００３２】
エントリテーブル１０１には、プレーンテキストにより表現された表示（自然文表示）、および画像診断に関する属性情報と属性情報に対応した値を示す情報とを対応付けた表示（構造表示）、に関する表示用データが保存されている。エントリ情報が読影レポートデータベース２から読み出される際に、表示用データも読み出され記憶部１２０に保持される。入力デバイス１４からの入力情報に基づいて、制御部１１は、表示用データ（自然文表示の表示用データ、構造表示の表示用データ）を選択的に取得可能である。また、表示されている部分情報（エントリ）が入力デバイス１４により選択されると、制御部１１は、記憶部１２０を参照することにより、表示されているエントリの表示状態が、自然文表示の状態であるか、構造表示の状態であるかを判定することができる。尚、読影レポートデータベース２から読み出して記憶部１２０に保存するデータとして、自然文表示のレポートのみを保存しておき、医用情報処理装置１０で表示する際に構造化形式に変換しても良い。
【００３３】
図４（ｂ）に示すリンクテーブル１０２には、２つの部分情報（エントリ）の識別情報（ＩＤ）とその間に設定されている関係情報（リンク）の種類を示す情報が対応付けて保存されている。例えば、図４（ｂ）において、エントリの識別情報（ＩＤ１）である「１２３４５６７８−００１」と、エントリの識別情報（ＩＤ２）である「１２３４５６７８−００２」と、により特定されるエントリ間には、種類を示す情報として、「対応関係」が設定されている。処理の対象となる読影レポートに関して、図４（ｂ）に示すような情報が読影レポートデータベース２から読み出され、記憶部１２０に保持される。
【００３４】
（機能ブロック）
プログラムの実行時において、制御部１１は、例えば、一次記憶部１２をワーク領域として使用し、二次記憶部１３に記憶された各種プログラムを読み込み、実行することで、各構成要素の機能が実現される。制御部１１は、例えば、二次記憶部１３に格納されたプログラムを実行することにより、図５に示すような機能構成を備える。
【００３５】
本実施形態の医用情報処理装置１０において、レポート読出部１１１は、処理の対象となる読影レポートに関して、複数の部分情報（エントリ）および複数の部分情報の間の関係を示す関係情報を、読影レポートデータベース２から読み出す。そして、レポート読出部１１１は、読み出した複数の部分情報（エントリ）および関係情報を記憶部１２０（一次記憶部１２または二次記憶部１３）に一時的に保存する。
【００３６】
レポート読出部１１１は、処理の対象となる読影レポートを、読影レポートの識別情報（例えば、図４（ａ）、（ｂ）に示した「１２３４５６７８」）に基づいて特定することが可能である。そして、レポート読出部１１１は、読影レポートの識別情報を含むエントリ情報および関係情報を、読影レポートデータベース２から取得して、記憶部１２０に保存する。また、レポート読出部１１１は、各部分情報（エントリ）に対応した、日時の情報を含む時刻情報を読影レポートデータベース２から取得して、記憶部１２０に保存する。
【００３７】
レポート表示部１１２は、記憶部１２０に保存された複数の部分情報（エントリ）および関係情報（リンク）の内容を出力デバイス１５のモニタに表示する。レポート表示部１１２は、部分情報（エントリ）の表示形式を制御することが可能である。レポート表示部１１２は、例えば、図８を用いて後述するＧＵＩ(Graphical User Interface)を用いて、「自然文表示」又は「構造表示」のいずれかに切り替えることができる。ＧＵＩを用いて「自然文表示」が選択された場合、レポート表示部１１２は、部分情報（エントリ）の内容を自然文で表示するように表示制御を行うことが可能である。また、ＧＵＩを用いて「構造表示」が選択された場合、レポート表示部１１２は、部分情報（エントリ）の内容を、画像診断に関する属性情報と属性情報に対応した値を示す情報とを対応付けて表示するように表示制御を行うことが可能である。
【００３８】
図６は、部分情報（エントリ）の表示例を示す図である。図６（ａ）は、「自然文表示」が選択された場合の部分情報（エントリ）の表示例を示す図であり、図６（ｂ）は、「構造表示」が選択された場合の部分情報（エントリ）の表示例を示す図である。図６（ｂ）において、属性情報は、「事象」、「部位」、「大きさ」、「形状」、「浸潤」、「濃度」であり、属性情報に対応した値は、「腫瘍性病変」、「左肺上葉」、「２６ｍｍ程度」、「不勢で分葉状」、「気管支や動脈や静脈」、「軟部組織濃度」、「明らかな石灰化は伴いません」である。属性情報と属性情報に対応した値とが対応付けて表示される。
【００３９】
また、レポート表示部１１２は、複数の部分情報（エントリ）の表示形式を制御することも可能である。レポート表示部１１２は、例えば、図８で説明するＧＵＩを用いて「論理関係表示」のみを表示するか、「論理関係表示」と「時系列関係表示」とを並列して表示するかを切り替えることができる。「論理関係表示」は、複数の部分情報（エントリ）間の対応関係、因果関係、対立関係を線（実線）や矢印（片矢印、両矢印）を用いて表示する関係情報（リンク）の表示形式である。「時系列関係」は、複数の部分情報（エントリ）間の時系列関係を表形式で表す表示形式である。
【００４０】
図７は複数の部分情報（エントリ）の表示形式を例示する図である。図７（ａ）は、「論理関係表示」を例示する図であり、対応関係を示すリンク間には線（実線）のリンクが設定され、因果関係を示すリンク間には、片矢印のリンクが設定され、対立関係を示すリンク間には両矢印のリンクが設定される。図７（ｂ）は、「時系列関係」を例示する図であり、レポート表示部１１２は、各エントリに対応した時刻情報を記憶部１２０から取得し、取得した時刻情報に基づいて、リンク間の時系列関係を表形式で表示する。
【００４１】
コピーデータ作成部１１３は、図１０で後述する方法に基づいて、他のシステムに貼付（ペースト）するためのコピー用データを作成する。コピーデータ作成部１１３は、作成したコピーデータを、一次記憶部１２上に用意されるコピー用バッファ１２１（コピー情報記憶部）に保存する。例えば、入力デバイス１４からの入力情報に基づいて、表示されている構造化文書情報（読影レポート等）からコピー対象の部分情報および関係情報（リンク）が選択されると、コピーデータ作成部１１３は、選択された部分情報および関係情報に基づいて、コピー用の情報における部分情報の配置を決定する。ここで、コピーデータ作成部１１３は、選択された部分情報および関係情報を貼付する貼付先で処理可能なデータの形式を判定する。そして、コピーデータ作成部１１３は、判定の結果に基づいて、選択された部分情報および関係情報（リンク）の形式を変換したデータを作成する。
【００４２】
画像表示部１１４は、表示対象の画像を、ＰＡＣＳ５０を介して医用画像データベース３から読み出し、出力デバイス１５のモニタに表示する。医用画像データベース３に保存されている画像には、読影レポートの部位を示す部分情報（部位エントリ）と対応する識別情報（ＩＤ）が設定されており、画像表示部１１４は、表示対象として表示する部位の画像を、識別情報（ＩＤ）に基づいて取得してモニタに表示させることが可能である。
【００４３】
尚、医用情報処理装置１０の構成要素の一部又は全ての機能が専用の回路を用いることで実現されてもよい。また、制御部１１によるプログラムの実行により提供される構成要素の一部の機能が、クラウドコンピュータを用いることで実現されてもよい。
【００４４】
（ユーザインターフェース例）
図８は、本実施形態に係る医用情報処理装置１０のＧＵＩを例示する図である。画像表示部１１４は、ＰＡＣＳ５０を介して医用画像データベース３から読み出した画像（医用画像）を画像閲覧画面１３１に表示するように表示制御を行う。
【００４５】
また、医用情報処理装置１０の制御部１１は、ＨＩＳ２０を介して電子カルテデータベース１から取得した、読影対象となる画像の被写体である被検者の情報（被検者情報）を、被検者情報表示エリア１３２に表示するように表示制御を行う。被検者の情報には、例えば、被検者ＩＤ、名前、年齢，過去の病歴等が含まれる。
【００４６】
制御部１１は、依頼元の部門情報や依頼された検査、依頼医からの依頼内容を、依頼情報表示エリア１３３に表示するように表示制御を行う。本実施形態では、依頼内容は予め個別の項目に分けられており、項目毎に依頼タグとして選択可能に構成されている。依頼タグはエントリに関連付けられており、入力デバイス１４を介して依頼タグが選択されると、制御部１１は、選択された依頼タグに対応するエントリのエントリ枠１３５を、例えば、ハイライト表示するように表示制御を行うことが可能である。
【００４７】
レポート表示エリア１３４は、画像診断に関する情報を所定の種類（例えば、部位、所見、診断、処置のエリア）ごとに分類されており、レポート表示部１１２は、各々のエリアにおいて、対応する部分情報（エントリ）の内容を表示するための表示枠（エントリ枠１３５）を表示するように表示制御を行う。表示枠（エントリ枠１３５）は一つの部分情報（エントリ）と対応づけられている。レポート表示部１１２は、記憶部１２０に保存されている情報に基づいて、各表示枠（エントリ枠）に対応づけられている部分情報（エントリ）の内容および部分情報（エントリ）間の関係情報（リンク）を、レポート表示エリア１３４に表示するように表示制御を行う。各表示枠（エントリ枠）は、入力デバイス１４を介して選択可能に構成されている。複数の表示枠（エントリ枠）をまとめて選択することも可能である。尚、時系列表示で表示される複数の部分情報（エントリ）の表示枠（エントリ枠）も同様にまとめて選択可能である。
【００４８】
部位を示す部分情報（部位エントリ）のエントリ枠が、入力デバイス１４を介して選択（例えば、第１操作（ダブルクリック））されると、画像表示部１１４は、選択された部位エントリに対応する画像（医用画像）を、ＰＡＣＳ５０を介して医用画像データベース３から取得して、画像閲覧画面１３１に表示するように表示制御を行うことが可能である。部位を示す部分情報（部位エントリ）の表示枠（エントリ枠）の選択を他の表示枠（エントリ枠）の選択に切り替えることにより、画像表示部１１４は、画像閲覧画面１３１に表示する画像を切り替えることが可能である。
【００４９】
表示枠（エントリ枠）が、入力デバイス１４を介して選択（例えば、第２操作（右クリック））されると、レポート表示部１１２は、エントリ内容の表示切替メニュー１３６を表示するように表示制御を行うことが可能である。表示切替メニュー１３６には、「自然文表示」と「構造表示」が項目として表示される。各々のメニュー項目は排他的であり、いずれか一方の項目が選択されると、他方の項目は非選択状態となる。例えば、表示切替メニュー１３６の表示において、「自然文表示」が選択されると、レポート表示部１１２は、エントリの内容を図６（ａ）に示すように、部分情報（エントリ）の内容を自然文で表示するように表示制御を行う。一方、「構造表示」が選択されると、レポート表示部１１２は、エントリの内容を図６（ｂ）に示すように、画像診断に関する属性情報と属性情報に対応した値を示す情報とを対応付けて表示するように表示制御を行う。尚、本実施形態では、エントリ枠毎に表示方法を切り替え可能としているが、複数のエントリ枠をまとめて選択して、一括で表示方法を切り替えるメニューを表示させることも可能である。
【００５０】
時系列表示ボタン１３７はトグルボタンであり、ＯＮの場合とＯＦＦの場合で、レポート表示部１１２は、レポート表示エリア１３４に表示する内容を切り替える。時系列表示ボタン１３７がＯＦＦである場合、レポート表示部１１２は、読影レポートに含まれるエントリの論理関係を、図７（ａ）のように表示するように表示制御を行う。時系列表示ボタン１３７がＯＮである場合、レポート表示部１１２は、前述の論理関係と合わせて、選択されているエントリの時系列関係を、図７（ｂ）のように表示するように表示制御を行う。
【００５１】
コピーボタン１３８が押下されると、コピーデータ作成部１１３は処理を実行し、入力デバイス１４を介して選択された、部分情報（エントリ）の内容や表示状態に応じて、コピーデータを生成する。終了ボタン１３９が押下されると、制御部１１は図８に示すＧＵＩを閉じるように表示制御を行う。
【００５２】
入力デバイス１４の入力に基づいて、コピーデータ作成部１１３が、表示されている構造化文書情報からコピー対象の部分情報および関係情報を選択すると、コピーデータ作成部１１３は、選択された部分情報および関係情報に基づいて、コピー用の情報における部分情報の配置を決定する。ここで、コピーデータ作成部１１３は、入力デバイス１４からの入力情報に基づいて選択された部分情報および関係情報（リンク）を貼付する貼付先で処理可能なデータの形式（例えば、構造データ、図形データ、テキストデータ等）を判定する。コピーデータ作成部１１３は、判定の結果に基づいて、選択された部分情報および関係情報の形式を変換したデータを作成する。
【００５３】
（テキスト作成テンプレート）
コピーデータ作成部１１３は、判定の結果に基づいて、貼付先でテキストデータの取り扱いが可能である場合、コピーデータ作成部１１３は、選択された部分情報および関係情報（リンク）からテキストデータを生成するためのテンプレート（テキスト作成テンプレート）を作成する。すなわち、コピーデータ作成部１１３は、コピー用のデータを生成するために、記憶部１２０に含まれる部分情報（エントリ）の情報と関係情報の内容から、どのようにテキストデータを生成するかを指示するためのテキスト作成テンプレートを生成する。このテキスト作成テンプレートは、後に説明する図１０のステップＳ１００８の処理において、作成されるものである。
【００５４】
（テキスト作成テンプレート）
図９は、テキスト作成用テンプレートを例示する図である。テキスト作成テンプレートには、例えば、ＸＭＬ形式で作成され、ｅｎｔｒｙ要素、ｃｔｉｍｅ要素、ｌｉｎｋ要素、ｔｅｘｔ要素のタグが含まれる。尚、テキスト作成テンプレートにおける各要素の記述形式は、ＸＭＬ形式に限定されるものではなく、例えば、ＨＴＭＬ形式などを用いることが可能である。コピーデータ作成部１１３は、選択された部分情報および関係情報を、記憶部１２０から取得してテキスト作成テンプレートを作成する。
【００５５】
ｅｎｔｒｙ要素は、部分情報（エントリ）を示し、「ｅｎｔｒｙ  ｉｄ」には、各エントリを識別するための識別情報（ＩＤ）が設定され、「ｔｙｐｅ」には、表示形式を記述する情報が設定される。例えば、自然文表示の場合には、「ｐｌａｎｅ」が設定され、構造表示の場合には「ｓｔｒｕｃｔｕｒｅ」が設定される。テキストデータに変換する際には、エントリの識別情報（ＩＤ）を表す文字列に続けて、部分情報（エントリ）の内容が展開される。すなわち、エントリの識別情報（ＩＤ）により特定される部分情報（エントリ）の内容が記憶部１２０から読み出され、設定されている表示形式により記述される。
【００５６】
エントリの内容は、表示形式として、「ｔｙｐｅ」＝「ｐｌａｎｅ」が設定されている場合、プレーンテキストとして展開（記述）され、図６（ａ）のような自然文表示によりエントリの内容が生成される。表示形式として、「ｔｙｐｅ」＝「ｓｔｒｕｃｔｕｒｅ」が設定されている場合、エントリの内容は、画像診断に関する属性情報と属性情報に対応した値を示す情報との組み合わせとして展開（記述）され、図６（ｂ）のような構造表示によりエントリの内容が生成される。
【００５７】
ｃｔｉｍｅ要素は、エントリのデータの作成日時を表し、「ｃｔｉｍｅ  ｉｄ」には、対応するエントリの識別情報（ＩＤ）が設定される。テキストデータに変換する際に、コピーデータ作成部１１３は、指定されたエントリの識別情報（例えば、「１２３４５６７８−００１」）に含まれる読影レポートの識別情報（「１２３４５６７８」）に基づいて、読影レポートを特定する。そして、コピーデータ作成部１１３は、特定した読影レポートに対応する医用画像が撮影された日時を示す情報を記憶部１２０から取得し、取得した日時を示す情報を文字列として展開（記述）する。
【００５８】
コピー対象として選択された部分情報および関係情報（リンク）において、予め定めた部分情報間（エントリ間）の関係を示す関係情報が含まれている場合、コピーデータ作成部１１３は、関係情報をテキストデータとして説明するための補足データを作成するための情報（ｌｉｎｋ要素）をテキスト作成テンプレートに設定する。予め定めた関係情報の種類としては、例えば、因果関係、対立関係、時系列関係などが含まれる。尚、補足データの作成対象となる関係情報の種類は、上記のものに限定されるものではなく、任意に設定することが可能である。
【００５９】
ｌｉｎｋ要素（リンク要素）は互いに関連付けられた複数の部分情報（エントリ）間におけるリンクの設定を示し、ｌｉｎｋ  ｉｄには、互いに関連付けられた複数の部分情報（エントリ）の識別情報（ＩＤ）がカンマ区切りで設定される。ｌｉｎｋ要素（リンク要素）の設定に基づいて、コピーデータ作成部１１３は、テキストデータに変換する際、指定された部分情報（エントリ）の識別情報（ＩＤ）と、部分情報（エントリ）の間の関係情報（リンク）の内容をテキストデータとして説明するための補足データ（文字列）として展開（記述）することが可能である。
【００６０】
例えば、コピー元のデータにおいて、エントリ間の関係として、時系列関係を示す関係情報（リンク）が設定されている場合、コピーデータ作成部１１３は、ｌｉｎｋ要素１１０７（リンク要素）に設定された複数のエントリ間の内容情報をコピー用バッファ１２１から取得する。コピーデータ作成部１１３は、例えば、所見エントリについて、内容情報の比較を行う。そして、時間の経過に伴って内容情報が変化している場合、コピーデータ作成部１１３は、例えば、「時間の経過に伴って、部位の大きさが変化している」等のように、関係情報（リンク）をテキストデータとして説明するための補足データ（文字列）を作成し、テキストデータに付加することが可能である。
【００６１】
また、コピー元のデータにおいて、一つのエントリ（例えば、所見エントリ００１）から複数のエントリ（例えば、診断エントリ００２、００８）に対して因果関係を示す関係情報（リンク）が設定されている場合に、コピーデータ作成部１１３は、例えば、「所見００１から診断００２及び診断００８が導かれます。」等、関係情報（リンク）の内容を説明する文字列として展開（記述）することが可能である。
【００６２】
あるいは、コピー元のデータにおいて、複数のエントリ間（例えば、診断エントリ００２、００８）に対立関係の関係情報（リンク）が含まれる場合に、コピーデータ作成部１１３は、例えば、「診断００２と診断００８は対立しています。」等、関係情報（リンク）の内容を説明する文字列として展開（記述）することが可能である。
【００６３】
ｔｅｘｔ要素（テキスト要素）には、表示する要素の見出し、例えば、「画像所見」、「画像診断」など、任意のテキストを記述することが可能である。テキストデータに変換する際には、要素のテキストがそのまま展開（記述）される。
【００６４】
尚、図９で説明したテキスト作成テンプレートの構成要素は一例であり、その他の要素を用意しても良い。例えば、部分情報（エントリ）へアクセスするためのアドレスとして展開するための要素を用意しても良い。また、部分情報（エントリ）の内容を構造表示した際に、個々の属性を個別に指定可能にしても良い。
【００６５】
（コピーデータの作成処理）
図１０は、コピーデータ作成部１１３により実行されるコピーデータ作成処理の流れを示すフローチャートである。ステップＳ１００１において、入力デバイス１４からの入力に基づいて、コピーデータ作成部１１３が、表示されている構造化文書情報（読影レポート）からコピー対象の部分情報および関係情報（リンク）を選択する。コピーデータ作成部１１３は、コピー対象となる部分情報と関係情報（リンク）のデータを、コピー用の一時的な構造データ（以下、一時構造データともいう）として作成する。コピーデータ作成部１１３は、図８のＧＵＩ上で、入力デバイス１４を介してユーザにより選択された部分情報（エントリ）に関する情報と、関係情報（リンク）に関する情報（リンクの種類を示すリンク情報）を記憶部１２０から取得して、一時構造データを作成する。コピーデータ作成部１１３は、選択された部分情報（エントリ）の内容の表示状態を示す情報を、一時構造データと合わせてコピー用バッファ１２１に保存する。コピーデータ作成部１１３は、選択された部分情報および関係情報に基づいて、コピー用の情報における部分情報の配置を決定することが可能である。
【００６６】
ステップＳ１００２において、コピーデータ作成部１１３は、選択された部分情報および関係情報（リンク）を貼付する貼付先で処理可能なデータの形式を判定する。コピーデータ作成部１１３は、貼付先のシステムが取扱い可能なデータ形式を取得する。取扱い可能なデータ形式は、例えば、構造データ、画像データ、テキストデータのいずれか又はこれらの組合せであり、コピーデータ作成部１１３は、貼付先のシステムに問い合わせて、取扱い可能なデータ形式の情報を取得する。尚、医用情報処理装置１０にＡＰＩ（Application Program Interface）を設けて貼付先のシステム側から、取扱い可能なデータ形式を指定させるようにしても良い。尚、取扱い可能なデータ形式は、構造データ、画像データ、テキストデータのいずれか又はこれらの組合せに限定されるものではなく、他の形式のデータを用いることも可能である。
【００６７】
そして、コピーデータ作成部１１３は、以降のステップＳ１００３、Ｓ１００５、Ｓ１００７の判定の結果に基づいて、選択された部分情報および関係情報（リンク）の形式を変換したデータを作成する。まず、ステップＳ１００３において、コピーデータ作成部１１３は、貼付先のシステムで構造データが取扱い可能かどうかを判定する。構造データが取扱い可能であれば（Ｓ１００３−Ｙｅｓ）、処理はステップＳ１００４へ進められる。ステップＳ１００３の判定の結果に基づいて、貼付先で構造化データの取り扱いが可能である場合、コピーデータ作成部１１３は、選択された部分情報および関係情報を貼付先で処理可能な構造化データに変換したデータを作成する。
【００６８】
一方、ステップＳ１００３の判定で、構造データが取扱い可能でなければ（Ｓ１００３−Ｎｏ）、処理はステップＳ１００５へ進められる。
【００６９】
ステップＳ１００５において、コピーデータ作成部１１３は、貼付先のシステムで画像データが取扱い可能かどうかを判定する。画像データが取扱い可能であれば（Ｓ１００５−Ｙｅｓ）、処理はステップＳ１００６へ進められる。ステップＳ１００５の判定の結果に基づいて、貼付先で画像データの取り扱いが可能である場合、コピーデータ作成部１１３は、選択された部分情報および関係情報（リンク）を貼付先で処理可能な画像データに変換したデータを作成する。コピーデータ作成部１１３は、選択された一時構造データ（部分情報および関係情報（リンク））を画像データにレンダリングし、貼付先のシステムで取扱い可能な画像フォーマットに変換したデータを作成する。
【００７０】
一方、ステップＳ１００５の判定で、画像データが取扱い可能でなければ（Ｓ１００５−Ｎｏ）、処理はステップＳ１００７に進められる。ステップＳ１００７において、コピーデータ作成部１１３は、貼付先のシステムでテキストデータが取扱い可能かどうかを判定する。ステップＳ１００７の判定で、テキストデータが取扱い可能でなければ（Ｓ１００７−Ｎｏ）、処理は終了する。一方、テキストデータが取扱い可能であれば（Ｓ１００７−Ｙｅｓ）、処理はステップＳ１００８へ進められる。
【００７１】
ステップＳ１００７の判定の結果に基づいて、貼付先でテキストデータの取り扱いが可能である場合、コピーデータ作成部１１３は、選択された部分情報および関係情報（リンク）からテキストデータを生成するためのテンプレート（テキスト作成テンプレート）を作成する。すなわち、コピーデータ作成部１１３は、ステップＳ１００１で作成した一時構造データを元に、コピー用のテキストデータを作成するためのテキスト作成テンプレートを作成する。コピーデータ作成部１１３は、テキスト作成テンプレートの構成として、例えば、図９を用いて先に説明したものを用いることが可能である。
【００７２】
コピーデータ作成部１１３は、一時構造データに含まれる全ての部分情報（エントリ）に対応するｅｎｔｒｙ要素をテキスト作成テンプレート内に作成し、対応するエントリの識別情報（ＩＤ）を「ｅｎｔｒｙ  ｉｄ」に設定する。また、各々の部分情報（エントリ）の表示状態が自然文表示である場合に、コピーデータ作成部１１３は、「ｔｙｐｅ」に「ｐｌａｎｅ」を設定し、各々の部分情報（エントリ）の表示状態が構造表示である場合には「ｔｙｐｅ」に「ｓｔｒｕｃｔｕｒｅ」を設定する。
【００７３】
次に、コピーデータ作成部１１３は、一時構造データに含まれる部分情報（エントリ）および関係情報（リンク）に基づいて、テキスト作成テンプレートにおいて部分情報（エントリ）をレイアウトする。すなわち、コピーデータ作成部１１３は、記憶部１２０から取得した部分情報（エントリ）および関係情報に基づいて、テキスト作成テンプレートにおける部分情報（エントリ）の配置を決定する。また、コピーデータ作成部１１３は、一時構造データに含まれる部分情報（エントリ）の表示状態に基づいて、テキスト作成テンプレートにおける部分情報の表示形式を選択することが可能である。
【００７４】
リンクの種類を示すリンク情報が時系列関係を示す場合に、コピーデータ作成部１１３は、ｃｔｉｍｅ要素をテキスト作成テンプレート内に作成し、部分情報（エントリ）の識別情報（ＩＤ）をｉｄ属性（ｅｎｔｒｙ  ｉｄ）に記述する。コピーデータ作成部１１３による配置において、ｃｔｉｍｅ要素はｅｎｔｒｙ要素の前に配置され、日時に関する情報と部分情報（エントリ）の内容とが交互にテキスト作成テンプレート上に配置される。
【００７５】
更に、コピーデータ作成部１１３は、ｌｉｎｋ要素（リンク要素）をテキスト作成テンプレート内に作成する。ｌｉｎｋ  ｉｄには、互いに関連付けられた複数の部分情報（エントリ）の識別情報（ＩＤ）が設定される。
【００７６】
図１１は、エントリ間のリンク情報が時系列関係を示す場合の一時構造データと、一時構造データに基づいて作成されたテキスト作成テンプレートの構成例と、テキスト作成テンプレートから作成されたテキストデータの例を示す図である。
【００７７】
図１１（ａ）は、エントリ間のリンク情報が時系列関係を示す場合の一時構造データを例示する図である。図１１（ａ）の一時構造データにおいて、構造表示された３つのエントリ（１１０１、１１０２、１１０３）が時系列関係で表示されている。エントリ１１０１の識別情報（ＩＤ）は、「１２３４４５９２−００５」であり、エントリ１１０２の識別情報（ＩＤ）は、「１２３４５５２３−００１」であり、エントリ１１０３の識別情報（ＩＤ）は、「１２３４５６７８−００１」である。
【００７８】
入力デバイス１４の入力情報に基づいて、例えば、図８のように表示されている構造化文書情報（読影レポート等）からコピー対象の部分情報および関係情報（リンク）（一時構造データ）が選択される。コピー対象の部分情報および関係情報（リンク）が選択されると、コピーデータ作成部１１３は、処理の対象となる部分情報（エントリ）の識別情報（ＩＤ）を、記憶部１２０から取得する。また、コピーデータ作成部１１３は、選択された部分情報（エントリ）の種類および内容を示す情報を記憶部１２０から取得する。更に、コピーデータ作成部１１３は、部分情報（エントリ）の識別情報に基づいて、選択された関係情報（リンク）に関するリンク情報を記憶部１２０から取得する。コピーデータ作成部１１３は、一時構造データにおける３つの部分情報（エントリ）の関係（図１１（ａ）の例では、時系列関係）を示すリンク情報を記憶部１２０から取得する。コピーデータ作成部１１３は、選択された部分情報および関係情報（リンク）からテキストデータを生成するためのテンプレート（テキスト作成テンプレート）を作成する。
【００７９】
図１１（ｂ）は、選択された部分情報および関係情報（リンク）に基づいて作成されたテキスト作成テンプレートの構成例を示す図であり、エントリ１１０１〜エントリ１１０３に対応する要素１１０４〜１１０６がテキスト作成テンプレートに配置される。例えば、要素１１０４は、エントリ１１０１に対応する要素であり、要素１１０４は、ｃｔｉｍｅ要素およびｅｎｔｒｙ要素を有する。リンク情報が時系列関係を示すものであるため、日時の情報を示すためのｃｔｉｍｅ要素が設定される。ｅｎｔｒｙ要素におけるｅｎｔｒｙ  ｉｄには、エントリ１１０１を識別するための識別情報（「１２３４４５９２−００５」）が設定され、ｔｙｐｅには、表示形式を記述する情報が設定される。図１１の例では、構造表示であるので「ｓｔｒｕｃｔｕｒｅ」が設定される。要素１１０５、要素１１０６においても同様である。
【００８０】
そして、テキスト作成テンプレートの最後に、ｌｉｎｋ要素１１０７（リンク要素）が設定される。ｌｉｎｋ要素１１０７（リンク要素）におけるｌｉｎｋ  ｉｄには、互いに関連付けられた３つのエントリの識別情報がカンマ区切りで設定される。コピー対象として選択された部分情報および関係情報（リンク）において、予め定めた部分情報間（エントリ間）の関係（例えば、時系列関係）を示す関係情報が含まれている場合、コピーデータ作成部１１３は、関係情報をテキストデータとして説明するための補足データを作成するための情報（ｌｉｎｋ要素）をテキスト作成テンプレートに設定する。
【００８１】
図１１（ｃ）は、テキスト作成テンプレートから作成されたテキストデータの例を示す図である。テキスト部分１１０８は、テキスト作成テンプレートの要素１１０４を展開（記述）することにより生成されたテキスト部分である。テキスト部分１１０８は、日時の情報の文字列、エントリの識別情報の文字列、エントリの内容を示す文字列として、画像診断に関する属性情報と属性情報に対応した値を示す情報との組み合わせとした構造表示の文字列を有する。
【００８２】
テキスト部分１１０９は、テキスト作成テンプレートの要素１１０５を展開することにより生成されたテキスト部分であり、テキスト部分１１１０は、テキスト作成テンプレートの要素１１０６を展開することにより生成されたテキスト部分である。
【００８３】
テキスト部分１１１１は、テキスト作成テンプレートのｌｉｎｋ要素１１０７（リンク要素）の展開により生成された補足データのテキスト部分である。ｌｉｎｋ要素１１０７（リンク要素）の展開により、コピーデータ作成部１１３は、エントリ（部分情報）の内容情報の変化に基づいて、関係情報を説明するための補足データを生成する。エントリ間の関係として、時系列関係を示す関係情報（リンク）が設定されている場合、コピーデータ作成部１１３は、ｌｉｎｋ要素１１０７（リンク要素）に設定された複数のエントリ間の内容情報の変化をコピー用バッファ１２１から取得する。例えば、時間の経過に伴い、内容情報の変化として、部位の大きさの変化（１８ｍｍ→２１ｍｍ→２３ｍｍ）、すなわち、部位の大きさの増大という所見を取得し、部位の大きさ以外のその他の属性については、変化が無いという所見を取得する。コピーデータ作成部１１３は、内容情報の変化に基づいて、関係情報（リンク）をテキストデータとして説明するための補足データを作成する。コピーデータ作成部１１３は、テキスト作成テンプレートを用いて、選択された部分情報をテキストデータに変換する。また、コピーデータ作成部１１３は、テキスト作成テンプレートを用いて作成した補足データを、テキストデータに付加する。
【００８４】
一方、エントリ間の関係情報（リンク）が時系列関係を示すものでない場合（論理関係の場合）に、コピーデータ作成部１１３は、部分情報（エントリ）の種類毎に、まとまるように各エントリ（ｅｎｔｒｙ要素）をテキスト作成テンプレート内に配置する。また、コピーデータ作成部１１３は、エントリの種類を表す文字列のｔｅｘｔ要素を作成し、タイトルとして配置する。更に、一つのエントリから複数のエントリに対して関係情報（リンク）が設定される構造が含まれる場合に、コピーデータ作成部１１３は、ｌｉｎｋ要素を作成して、全ての部分情報（エントリ）の識別情報（ＩＤ）を設定する。更に、複数のエントリ間に対立関係を示す関係情報（リンク）が設定されている場合にも、同様にｌｉｎｋ要素を作成して、部分情報（エントリ）の識別情報（ＩＤ）を設定する。すなわち、コピー対象として選択された部分情報および関係情報（リンク）において、予め定めた部分情報間（エントリ間）の関係（例えば、因果関係、対立関係など）を示す関係情報（リンク）が含まれている場合、コピーデータ作成部１１３は、関係情報（リンク）をテキストデータとして説明するための補足データを作成するための情報（ｌｉｎｋ要素）をテキスト作成テンプレートに設定する。
【００８５】
図１２は、エントリ間の関係情報（リンク）が時系列関係でない場合（論理関係の場合）の一時構造データと、一時構造データに基づいて作成されたテキスト作成テンプレートの構成例と、テキスト作成テンプレートから作成されたテキストの例を示す図である。図１２（ａ）は、エントリ間の関係情報（リンク）が時系列関係でない場合（論理関係の場合）の一時構造データを例示する図であり、一時構造データには、所見（画像所見）について自然文表示された２つのエントリ（１２０１、１２０２）と、診断（画像診断）について自然文表示された２つのエントリ（１２０３、１２０４）とが含まれている。エントリ１２０１の識別情報（ＩＤ）は、「１２３４５６７８−００１」であり、エントリ１２０２の識別情報（ＩＤ）は、「１２３４５６７８−００５」である。エントリ１２０３の識別情報（ＩＤ）は、「１２３４５６７８−００２」であり、エントリ１２０４の識別情報（ＩＤ）は、「１２３４５６７８−００８」である。
【００８６】
入力デバイス１４の入力情報に基づいて、コピーデータ作成部１１３は、例えば、図８のように表示されている構造化文書情報（読影レポート等）からコピー対象の部分情報および関係情報（リンク）（一時構造データ）を選択する。コピー対象の部分情報および関係情報（リンク）が選択されると、コピーデータ作成部１１３は、処理の対象となる部分情報（エントリ）の識別情報（ＩＤ）を、記憶部１２０から取得する。また、コピーデータ作成部１１３は、選択された部分情報（エントリ）の種類および内容を示す情報を記憶部１２０から取得する。更に、コピーデータ作成部１１３は、部分情報（エントリ）の識別情報に基づいて、選択された関係情報（リンク）に関する情報を記憶部１２０から取得する。
【００８７】
図１２（ａ）の一時構造データにおいて、一つのエントリ１２０１から複数のエントリ（１２０３、１２０４）に対して因果関係を示すリンクが設定される構造が含まれ、複数のエントリ間（１２０３、１２０４）に対立関係を示すリンクが設定される構造が含まれている。これらのエントリについて、コピーデータ作成部１１３は、ｌｉｎｋ要素をテキスト作成テンプレートに設定する。更に、コピーデータ作成部１１３は、関係情報（リンク）をテキストデータとして説明するための補足データを作成するための情報（ｌｉｎｋ要素）をテキスト作成テンプレートに設定する。このようにして、コピーデータ作成部１１３は、選択された部分情報および関係情報（リンク）からテキストデータを生成するためのテンプレート（テキスト作成テンプレート）を作成する。
【００８８】
図１２（ｂ）は、選択された部分情報およびリンクに基づいて作成されたテキスト作成テンプレートの構成例を示す図であり、要素１２０５には所見（画像所見）に対応したエントリ１２０１、１２０２のエントリ要素が配置される。ｅｎｔｒｙ  ｉｄには、エントリ１２０１、１２０２を識別するための識別情報が設定され、ｔｙｐｅには、表示形式を記述する情報が設定される。図１２の例では、自然文表示であるので「ｐｌａｎｅ」が設定される。
【００８９】
要素１２０６には診断（画像診断）に対応したエントリ１２０３、１２０４のエントリ要素が配置される。ｅｎｔｒｙ  ｉｄには、エントリ１２０３、１２０４を識別するための識別情報が設定され、ｔｙｐｅには、表示形式を記述する情報が設定される。図１２の例では、自然文表示であるので「ｐｌａｎｅ」が設定される。
【００９０】
ｌｉｎｋ要素１２０７のｌｉｎｋ ｉｄには、一つのエントリ１２０１から複数のエントリ（１２０３、１２０４）に対して因果関係を示す関係情報（リンク）が設定される３つのエントリの識別情報がカンマ区切りで設定される。ｌｉｎｋ ｉｄ１には、複数のエントリ間（１２０３、１２０４）に対立関係を示す関係情報（リンク）が設定されるエントリの識別情報がカンマ区切りで設定される。そして、コピーデータ作成部１１３は、テンプレート（テキスト作成テンプレート）を用いて、選択された一時構造データ（部分情報および関係情報（リンク））をテキストデータに変換したデータを作成する。
【００９１】
図１２（ｃ）は、テキスト作成テンプレートを用いて作成されたテキストデータの例を示す図である。テキスト部分１２０８は、所見（画像所見）に対応したテキスト作成テンプレートの要素１２０５を展開することにより生成されたテキスト部分である。テキスト部分１２０９は、診断（画像診断）に対応したテキスト作成テンプレートの要素１２０６を展開することにより生成されたテキスト部分である。
【００９２】
テキスト部分１２１０は、テキスト作成テンプレートのｌｉｎｋ要素１２０７（リンク要素）の展開により生成された補足データのテキスト部分である。コピー対象として選択された部分情報および関係情報（リンク）において、予め定めた部分情報間（エントリ間）の関係を示す関係情報が含まれている場合、コピーデータ作成部１１３は、以下のような補足データのテキスト部分を生成する。例えば、一つのエントリ１２０１（所見００１）から複数のエントリ（１２０３（診断００２）、１２０４（診断００８））に対して因果関係を示す関係情報（リンク）が設定されている場合、コピーデータ作成部１１３は、関係情報を説明する補足データとして、例えば、所見００１から診断００２及び診断００８が導かれるというテキストデータを生成する。
【００９３】
また、エントリ１２０３（診断００２）およびエントリ１２０４（診断００８）の間に対立関係を示す関係情報（リンク）が設定されている場合、コピーデータ作成部１１３は、関係情報を説明する補足データとして、例えば、診断００２と診断００８は対立しているというテキストデータを生成する。コピーデータ作成部１１３は、テキスト作成テンプレートを用いて、選択された部分情報（エントリ）をテキストデータに変換する。また、コピーデータ作成部１１３は、テキスト作成テンプレートを用いて作成した補足データを、テキストデータに付加する。
【００９４】
説明を図１０のフローチャートに戻し、ステップＳ１００９において、コピーデータ作成部１１３は、一時構造データから作成したテキスト作成テンプレート（図１１（ｂ）、図１２（ｂ））に基づいて、コピー用のデータを作成する（図１１（ｃ）、図１２（ｃ））。そして、ステップＳ１０１０において、コピーデータ作成部１１３は、ステップＳ１００４、Ｓ１００６、およびＳ１００９で作成したデータを、コピー用バッファ１２１（コピー情報記憶部）に保存して、処理を終了する。
【００９５】
尚、ステップＳ１００８で説明したテキスト作成テンプレートの作成方法は一例であり、他の方法を用いても良い。例えば、診断エントリ毎に、診断エントリに直接リンクするエントリ群からテキスト作成テンプレートを作成するようにしても良い。
【００９６】
また、本実施形態では、コピー用のテキストデータを作成するためのテキスト作成テンプレートを一時構造データに基づいて作成したが、予め用意した複数のテキスト作成テンプレートから利用可能なテキスト作成テンプレートを選択するようにしても良い。コピーデータ作成部１１３は、例えば、予め用意した複数のテキスト作成テンプレートの設定と、一時構造データの内容とを比較し、比較結果に基づいて適合性の高いテキスト作成テンプレートを利用可能なテキスト作成テンプレートとして選択することも可能である。また、コピーデータ作成部１１３は、選択したテキスト作成テンプレートをベースとして、テキスト作成テンプレートの設定を一時構造データの内容に合うように変更することも可能である。その場合は、エントリ内容の表示形式や関係情報（リンク）の種類に対応づけてテキスト作成テンプレートを管理し、指定された条件に応じてテキスト作成テンプレートを特定できるようにすればよい。
【００９７】
コピーデータ作成部１１３は、コピー対象として選択された部分情報および関係情報に基づいて、コピー用の情報における部分情報の配置を決定する。例えば、コピーデータ作成部１１３は、選択された部分情報および関係情報に基づいて、貼付先に貼付するテキストデータを生成するためのテキスト作成テンプレートにおける部分情報の配置を決定する。コピーデータ作成部１１３は、記憶部１２０から取得した部分情報（エントリ）および関係情報の情報に基づいて、テキスト作成テンプレートにおける部分情報（エントリ）の配置を決定する。そして、コピーデータ作成部１１３は、配置が決定されたテキスト作成テンプレートを用いて、部分情報および関係情報の形式を変換したデータを作成することが可能である。
【００９８】
また、コピーデータ作成部１１３は、コピー対象として選択された部分情報の表示状態に基づいて、コピー用の情報における部分情報の表示形式を決定する。例えば、コピーデータ作成部１１３は、貼付先に貼付するテキストデータを生成するためのテンプレートにおける部分情報の表示形式を決定する。そして、コピーデータ作成部１１３は、決定された表示形式に基づいて、選択された部分情報を変換したデータを作成することが可能である。
【００９９】
また、コピーデータ作成部１１３は、コピー対象として選択された部分情報および関係情報に基づいて、コピー用の情報における部分情報の配置、および、選択された部分情報の表示状態に基づいて、コピー用の情報における部分情報の表示形式、のうち少なくともいずれか一方を決定する。例えば、コピーデータ作成部１１３は、貼付先に貼付するテキストデータを生成するためのテンプレートにおける部分情報の配置、および、部分情報の表示状態に基づいて、テンプレートにおける部分情報の表示形式、のうち少なくともいずれか一方を決定する。そして、コピーデータ作成部１１３は、決定に基づいて、選択された部分情報およびリンクを変換したデータを作成することが可能である。
【０１００】
本実施形態では、テキストデータを作成した後に、作成したデータをコピー用バッファ１２１（コピー情報記憶部）に保存する構成を説明したが、作成したテキスト作成テンプレートをそのままコピー用バッファ１２１に保存しても良い。その場合、データのペーストを実行するシステム、または、他の医用情報処理装置において、コピー用バッファ１２１に保存されているテキスト作成テンプレートを読み出し、テキスト作成テンプレートを解釈して、テキストデータを作成すればよい。
【０１０１】
また、本実施形態では、図４（ａ）に示すエントリテーブル１０１には、部分情報（エントリ）の内容として、プレーンテキストと構造化されたものの両方が保存されていたが、どちらか一方のみが保存されていても良い。画面に表示する場合やテキストデータに変換する場合に、エントリテーブル１０１に保存されている内容に基づいて、エントリの内容を指定された形式に変換すればよい。本実施形態によれば、文書情報を漏れなく保存することが可能になる。
【０１０２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１０３】
１０：医用情報処理装置、１１１：レポート読出部、１１２：レポート表示部、１１３：コピーデータ作成部、１１４：画像表示部、１２０：記憶部、１２１：コピー用バッファ
【図１】
2018055278.tif 000003
【図２】
2018055278.tif 000004
【図３】
2018055278.tif 000005
【図４】
2018055278.tif 000006
【図５】
2018055278.tif 000007
【図６】
2018055278.tif 000008
【図７】
2018055278.tif 000009
【図８】
2018055278.tif 000010
【図９】
2018055278.tif 000011
【図１０】
2018055278.tif 000012
【図１１】
2018055278.tif 000013
【図１２】
2018055278.tif 000014